(57)【要約】【課題】この発明は、オペレータによる作業負担を軽減でき、信頼性を高めることができるＩＤカード処理装置、およびＩＤカード処理システムを提供することを課題とする。【解決手段】ＩＤカード処理システム１は、ホスト機２とカード処理機４を有する。作成したＩＤカードを検査する場合、検査対象となるＩＤカードをカード処理機４の取出部２１にセットし、ＩＤカードを搬送路２９上に取り出して搬送する。そして、カードＲ／Ｗ部２２でＩＤデータを読み取るとともに、画像認識部２３でカード表面の画像を認識する。さらに、制御部２０で、カードＲ／Ｗ部２２の読取結果と画像認識部２３の認識結果を照合する。【選択図】    図１
2004355120.tif 000002
【特許請求の範囲】
【請求項１】
ＩＣチップに個人情報を記憶したＩＤカードを取り出す取出部と、
取り出した上記ＩＤカードのＩＣチップから個人情報を読み取るデータ読取部と、
当該ＩＤカードの表面の画像を読み取る画像読取部と、
この画像読取部で読み取った画像から上記個人情報を認識する認識部と、
この認識部で認識した個人情報と上記データ読取部で読み取った個人情報を照合する照合部と、
を備えていることを特徴とするＩＤカード処理装置。
【請求項２】
上記照合部における照合の結果、個人情報が一致したＩＤカードを集積する集積部をさらに備えていることを特徴とする請求項１に記載のＩＤカード処理装置。
【請求項３】
上記照合部における照合の結果、個人情報が一致しなかったＩＤカードのＩＣチップに記憶されている個人情報を書き直すデータ書込部をさらに備えていることを特徴とする請求項２に記載のＩＤカード処理装置。
【請求項４】
上記照合部における照合の結果、個人情報が一致しなかったＩＤカードを使用不可能な状態に加工する加工部と、加工したＩＤカードを上記集積部と別に集積する排除集積部と、をさらに備えていることを特徴とする請求項２または３に記載のＩＤカード処理装置。
【請求項５】
上記個人情報は、当該ＩＤカードの所有者の少なくとも顔を含む画像に関する情報を含むことを特徴とする請求項１乃至４のいずれかに記載のＩＤカード処理装置。
【請求項６】
ＩＤカードに内蔵されたＩＣチップに記憶する個人情報の入力を受け付ける入力部と、この入力部を介して入力された個人情報を当該ＩＤカードに関連付けて記憶する記憶部と、を備えたホスト機と、
上記入力部を介して入力された個人情報をＩＣチップに記憶したＩＤカードを取り出す取り出し部と、取り出されたＩＤカードのＩＣチップから個人情報を読み取るデータ読取部と、取り出された上記ＩＤカードの表面の画像を読み取る画像読取部と、この画像読取部で読み取った画像から上記個人情報を認識する認識部と、この認識部で認識した個人情報と上記データ読取部で読み取った個人情報を照合する照合部と、を備えたＩＤカード処理装置と、
を備えていることを特徴とするＩＤカード処理システム。
【請求項７】
上記ＩＤカード処理装置は、上記照合部における照合の結果、個人情報が一致したＩＤカードを集積する集積部をさらに備えていることを特徴とする請求項６に記載のＩＤカード処理システム。
【請求項８】
上記ＩＤカード処理装置は、上記照合部における照合の結果、個人情報が一致しなかったＩＤカードのＩＣチップに記憶されている個人情報を、上記個人情報が一致しなかったＩＤカードに関連付けて上記記憶部に記憶されている個人情報に基づいて書き直すデータ書込部をさらに備えていることを特徴とする請求項７に記載のＩＤカード処理システム。
【請求項９】
上記ＩＤカード処理装置は、上記照合部における照合の結果、個人情報が一致しなかったＩＤカードを使用不可能な状態に加工する加工部と、加工したＩＤカードを上記集積部と別に集積する排除集積部と、をさらに備えていることを特徴とする請求項７または８に記載のＩＤカード処理システム。
【請求項１０】
上記個人情報は、当該ＩＤカードの所有者の少なくとも顔を含む画像に関する情報を含むことを特徴とする請求項６乃至９のいずれかに記載のＩＤカード処理システム。
【発明の詳細な説明】
【０００１】
【発明の属する技術分野】
この発明は、ＩＣチップを内蔵したＩＤカードを処理するＩＤカード処理装置、およびＩＤカード処理システムに関する。
【０００２】
【従来の技術】
従来、ＩＤカード処理装置として、ＩＤカードに内蔵されたＩＣチップに個人情報（ＩＤデータ）を書き込むとともに、カード表面に当該個人情報に対応した文字や画像を印刷する装置が知られている（例えば、特許文献１参照。）。
【０００３】
この装置で作成されたＩＤカードを検査する場合、ＩＣチップに記憶されたＩＤデータを専用の読取装置で読み取って個人情報を表示し、オペレータがカード表面に印刷された文字や画像と見比べて検査していた。
【０００４】
【特許文献１】
特開２００３−９９７１８号公報（要約、図２）
【０００５】
【発明が解決しようとする課題】
このため、上述した従来の検査方法では、検査のための作業が煩雑で、オペレータによる作業負担が大きく、しかも検査の信頼性が低かった。
【０００６】
この発明は、以上の点に鑑みなされたもので、その目的は、オペレータによる作業負担を軽減でき、信頼性を高めることができるＩＤカード処理装置、およびＩＤカード処理システムを提供することにある。
【０００７】
【課題を解決するための手段】
上記目的を達成するため、本発明のＩＤカード処理装置は、ＩＣチップに個人情報を記憶したＩＤカードを取り出す取出部と、取り出した上記ＩＤカードのＩＣチップから個人情報を読み取るデータ読取部と、当該ＩＤカードの表面の画像を読み取る画像読取部と、この画像読取部で読み取った画像から上記個人情報を認識する認識部と、この認識部で認識した個人情報と上記データ読取部で読み取った個人情報を照合する照合部と、を備えている。
【０００８】
また、本発明のＩＤカード処理システムは、ＩＤカードに内蔵されたＩＣチップに記憶する個人情報の入力を受け付ける入力部と、この入力部を介して入力された個人情報を当該ＩＤカードに関連付けて記憶する記憶部と、を備えたホスト機と、上記入力部を介して入力された個人情報をＩＣチップに記憶したＩＤカードを取り出す取り出し部と、取り出されたＩＤカードのＩＣチップから個人情報を読み取るデータ読取部と、取り出された上記ＩＤカードの表面の画像を読み取る画像読取部と、この画像読取部で読み取った画像から上記個人情報を認識する認識部と、この認識部で認識した個人情報と上記データ読取部で読み取った個人情報を照合する照合部と、を備えたＩＤカード処理装置と、を備えている。
【０００９】
上記発明によると、ＩＤカードに内蔵されたＩＣチップから読み取った個人情報と、カード表面の画像から認識した個人情報と、を照合する。このため、ＩＤカードを自動的に検査でき、オペレータによる作業負担を軽減でき、検査の信頼性を高めることができる。
【００１０】
【発明の実施の形態】
以下、図面を参照しながらこの発明の実施の形態について詳細に説明する。
【００１１】
図１には、この発明の実施の形態に係るＩＤカード処理システム１（以下、単にシステム１と称する）の概略構造をブロック図にして示してある。システム１は、ホスト機２とカード処理機４（ＩＤカード処理装置）を有する。この他に、システム１には、図示しないＩＤカード作成装置が接続されている。
【００１２】
ホスト機２は、システム１全体の動作を制御する制御部１０を有する。また、ホスト機２は、オペレータによる各種操作入力を受け付ける入力部１１、オペレータに対する各種操作案内を表示する表示部１２、入力部１１を介して入力されたＩＤデータ（個人情報）を記憶するデータベース１３（記憶部）、および制御プログラムを格納したメモリ１４を有する。
【００１３】
カード処理機４は、ホスト機２の制御部１０にラン接続された制御部２０（照合部）を有する。また、カード処理機４は、取出部２１、カードＲ／Ｗ部２２（データ読取部、データ書込部）、画像認識部２３（画像読取部、認識部）、表示部２４、集積部２５、パンチ部２６（加工部）、排除集積部２７、およびカード搬送部２８を有する。
【００１４】
取出部２１は、図示しない脱着可能なカセットを有し、このカセット内に処理対象となる複数枚のＩＤカードを集積して収容する。取出部２１は、制御部１０からのコマンドに応じてカセット内に集積されたＩＤカードを１枚ずつ搬送路２９上に取り出す。
【００１５】
取出部２１のカセットに投入されるＩＤカードは、ホスト機２のデータベース１３に記憶されているＩＤデータに基づいて、図示しないＩＤカード作成装置で作成される。この際、ＩＤカードに内蔵されたＩＣチップにデータベース１３から抽出したＩＤデータが記憶され、ＩＤカードの表面にＩＤデータに対応した個人情報が印刷される。個人情報、すなわちＩＤデータには、当該ＩＤカードの所有者の氏名や住所などの文字情報の他に、所有者の少なくとも顔を含む画像に関する情報が含まれる。
【００１６】
カードＲ／Ｗ部２２は、搬送路２８上に取り出されたＩＤカードに内蔵されたＩＣチップに記憶されているＩＤデータを読み取る機能と、必要に応じてＩＣチップに記憶されているＩＤデータを書き直す機能と、を有する。
【００１７】
画像認識部２３は、搬送路２８を介して搬送されたＩＤカードの表面を画像として読み取る機能と、読み取った画像からカード表面に印刷された個人情報を認識する機能と、を有する。画像認識部２３は、周知の文字認識技術により、読み取った画像から氏名や住所などの文字情報を認識する。また、画像認識部２３は、周知の顔認識技術により、読み取った画像からカード所有者の目、鼻、口等の特徴部分を抽出し、これら特徴部分の形状、大きさ、距離、色等の情報に基づいて、所有者の顔画像を認識する。
【００１８】
表示部２４は、カードＲ／Ｗ部２２で読み取ったＩＤデータ、画像認識部２３でカード表面から読み取った画像、および画像認識部２３で認識した認識結果（文字、顔画像）を適宜表示する。
【００１９】
集積部２５は、カードＲ／Ｗ部２２でＩＣチップから読み取ったＩＤデータと、画像認識部２３で認識した個人情報と、を制御部２０で照合した結果、両者が一致したＩＤカードを集積する。パンチ部２６は、上記照合の結果、データが一致しなかったＩＤカードに対し、使用不可能にするための孔を空ける。排除集積部２７は、パンチ部２６で孔を空けられたＩＤカードを集積部２５とは別に集積する。
【００２０】
カード搬送部２８は、搬送路２９を介して、取出部２１で取り出されたＩＤカードを、カードＲ／Ｗ部２２、および画像認識部２３を通過させて、集積部２５、パンチ部２６、排除集積部２７へ適宜搬送する。
【００２１】
図示しないＩＤカード作成装置で顔写真付ＩＤカードを作成する場合、まず、ホスト機２の入力部１１を介してＩＤカードの作成を希望するユーザ、すなわちカード所有者の住所や氏名などの文字情報が入力され、図示しない撮影機を介してユーザの少なくとも顔を含む大きさの写真が撮影される。このようにして取得された個人情報を含むＩＤデータは、データベース１３に格納される。
【００２２】
そして、このデータベース１３に記憶したＩＤデータに基づいて、図示しないＩＤカード作成装置でＩＤカードが作成される。このとき、ＩＤカードに内蔵されたＩＣチップにＩＤデータが記憶されるとともに、カード表面に顔画像を含む個人情報が印刷される。
【００２３】
図示しないＩＤカード作成装置で作成されたＩＤカードを検査する場合、検査対象となるＩＤカードがカード処理機４の取出部２１にセットされる。以下、図２に示すフローチャートを参照して、カード処理機４によるＩＤカードの検査方法について説明する。
【００２４】
まず、取出部２１のカセットに投入されたＩＤカードが搬送路２９上に取り出され（ステップ１）、カード搬送部２８にて搬送される。ＩＤカードが搬送路２９を介して搬送されてカードＲ／Ｗ部２２に達すると、ＩＤカードのＩＣチップに記憶されているＩＤデータが読み取られる（ステップ２）。
【００２５】
ステップ２でＩＤデータを読み取ることができなかった場合（ステップ３；ＮＯ）、カード処理機４の制御部２０がホスト機２の制御部１０と交信し、当該ＩＤカードに関連付けてホスト機２のデータベース１３に記憶されているＩＤデータを抽出し（ステップ４）、カードＲ／Ｗ部２２を介して、当該ＩＤカードのＩＣチップに記憶されている（であろう）ＩＤデータをステップ４で読み出したＩＤデータに書き直す（ステップ５）。
【００２６】
そして、ステップ５でＩＣチップへの書き込みがリトライされたＩＤデータがカードＲ／Ｗ部２２でベリファイリードされ（ステップ６）、ＩＤデータの読み取りが可能であったか否かが再度判断される（ステップ７）。
【００２７】
このとき、ＩＤデータを読み取ることができなかった場合（ステップ７；ＮＯ）、制御部２０は、当該ＩＤカードが不具合カードであることを判断し、表示部２４を介して不具合カードであることを表示し、当該ＩＤカードを搬送路２９を介してパンチ部２６へ搬送してカードに孔を空ける（ステップ８）。そして、パンチ部２６で孔が空けられたＩＤカードが排除集積部２７へ搬送されて集積される（ステップ９）。
【００２８】
一方、ステップ２でＩＤデータの読み取りが可能であった場合（ステップ３；ＹＥＳ）、およびステップ６でＩＤデータの読み取りが可能であった場合（ステップ７；ＹＥＳ）、制御部２０は、当該ＩＤカードを画像認識部２３へ搬送して、搬送路２３の上方に設けられた画像認識部２３を介して当該ＩＤカードの表面の画像が読み取られる（ステップ１０）。
【００２９】
この際、画像認識部２３は、取り込んだ画像から、周知の文字認識技術を用いて、当該ＩＤカードに印刷された個人情報のうちカード所有者の氏名や住所などの文字情報を認識する（ステップ１１）。また、このとき、画像認識部２３は、取り込んだ画像から、周知の顔認識技術を用いて、当該ＩＤカードに印刷された個人情報のうちカード所有者の顔画像に関する情報を認識する（ステップ１３）。
【００３０】
そして、このとき、制御部２０は、ステップ１１で認識した文字情報と、ステップ２またはステップ６で取得したＩＤデータに含まれる文字情報と、を照合するとともに（ステップ１２）、ステップ１３で認識した顔画像情報と、ステップ２またはステップ６で取得したＩＤデータに含まれる顔画像情報と、を照合する（ステップ１４）。
【００３１】
特に、ステップ１４の顔画像照合では、制御部２０は、画像認識部２３で取り込んだ画像からカード所有者の顔画像のうち目、鼻、口などの特徴部分を抽出し、これら特徴部分の形状、大きさ、距離、色等の情報をＩＤデータと比較し、２つの顔画像情報を照合する。
【００３２】
ステップ１２の照合の結果、文字情報が一致しないことを判断した場合（ステップ１２；ＮＯ）、制御部２０は、表示部２４を介して、ＩＣチップから読み取ったＩＤデータ、カード表面から読み取った画像、および文字認識結果を表示し、制御部２０内のメモリにこれら表示したデータを記憶する。また、このとき、制御部２０は、当該ＩＤカードが不具合を生じているカードであることを判断し、ステップ８の処理に移行して当該ＩＤカードに孔を空けて排除集積する（ステップ８、９）。
【００３３】
また、ステップ１４の照合の結果、顔画像情報が一致しないことを判断した場合（ステップ１４；ＮＯ）、制御部２０は、表示部２４を介して、ＩＣチップから読み取ったＩＤデータ、およびカード表面から読み取った画像を表示し、制御部２０内のメモリにこれら表示したデータを記憶する。また、このとき、制御部２０は、当該ＩＤカードが不具合を生じているカードであることを判断し、ステップ８の処理に移行して当該ＩＤカードに孔を空けて排除集積する（ステップ８、９）。
【００３４】
一方、ステップ１２の照合の結果、文字情報が一致したことを判断し、且つステップ１４の照合の結果、顔画像情報が一致したことを判断した場合（ステップ１２；ＹＥＳ、ステップ１４；ＹＥＳ）、制御部２０は、当該ＩＤカードが正常に作成されたカードであることを判断し、集積部２５へ搬送して集積する（ステップ１５）。
【００３５】
以上のように、本実施の形態によると、図示しないＩＤカード作成装置で作成したＩＤカードをカード処理機４に投入し、ＩＤカードに内蔵されたＩＣチップからＩＤデータを読み取って、カード表面から読み取った画像から個人情報を認識し、ＩＤデータと個人情報を照合することにより、ＩＤカードを検査するようにした。これにより、作成したＩＤカードに記憶されたデータと印刷内容を自動的且つ確実に照合でき、オペレータによる作業負担を軽減でき、検査の信頼性を高めることができる。特に、本実施の形態によると、文字の欠けなどの視認困難な印刷不良をチェックでき、ＩＤカードの品質向上に寄与できる。
【００３６】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。
【００３７】
例えば、上述した実施の形態では、取り出したＩＤカードのＩＣチップからＩＤデータを読み取ることができなかった場合、カードＲ／Ｗ部２２を介して、ホスト機２から取得したＩＤデータに書き直す場合について説明したが、これに限らず、ＩＤデータの書き込みをリトライせずに当該ＩＤカードを排除するようにしても良い。
【００３８】
【発明の効果】
以上説明したように、この発明のＩＤカード処理装置、およびＩＤカード処理システムは、上記のような構成および作用を有しているので、オペレータによる作業負担を軽減でき、信頼性を高めることができる。
【図面の簡単な説明】
【図１】この発明の実施の形態に係るＩＤカード処理システムの概略構造を示すブロック図。
【図２】図１のシステムに組み込まれたカード処理機の動作を説明するためのフローチャート。
【符号の説明】
１…ＩＤカード処理システム、２…ホスト機、４…カード処理機、１０、２０…制御部、１１…入力部、１２…表示部、１３…データベース、１４…メモリ、２１…取出部、２２…カードＲ／Ｗ部、２３…画像認識部、２４…表示部、２５…集積部、２６…パンチ部、２７…排除集積部、２８…カード搬送部、２９…搬送路。
【図１】
2004355120.tif 000003
【図２】
2004355120.tif 000004